【手続補正書】
【提出日】平成15年6月18日(2003.6.18)
【手続補正１】
【補正対象書類名】明細書
【補正対象項目名】０００５
【補正方法】変更
【補正の内容】
【０００５】
このような技術的課題を解決する手段としては、例えば、二次転写部の直後に導電性の剥離プレートを配設し、主に電界を利用することで用紙先端部を剥離プレート側へ引き付け、用紙の剥離を補助するという方式（具体的には、用紙が二次転写部を通過し剥離プレートに接近してきたとき、二次転写部位で用紙に与えられた電荷と逆極性の電荷が剥離プレートに誘起し、用紙が剥離プレートに静電吸着することを利用して剥離する方式）が既に提案されている（例えば特公平８−２３７１９号公報）。
しかしながら、このような剥離プレートを用いた方式にあっても、腰の弱い用紙においては、中間転写ベルトに用紙が貼り付く懸念があり、また、極端に用紙の抵抗値が高すぎる場合も同様に中間転写ベルトに用紙が貼り付く懸念があり、用紙の貼り付き現象を完全に解消するには未だ不充分であった。


【手続補正２】
【補正対象書類名】明細書
【補正対象項目名】０００９
【補正方法】変更
【補正の内容】
【０００９】
【課題を解決するための手段】
すなわち、本発明は、図１（ａ）（ｂ）に示すように、帯電粒子からなる可視像２が担持される像担持体１と、この像担持体１上の可視像を記録材３に一括転写する転写手段４とを備えた画像形成装置において、転写手段４には、記録材３への転写時の転写電界Ｅが記録材３先端部で低減せしめられる転写電界制御手段５を具備させたことを特徴とするものである。


【手続補正３】
【補正対象書類名】明細書
【補正対象項目名】００１８
【補正方法】変更
【補正の内容】
【００１８】
【発明の実施の形態】
以下、添付図面に示す実施の形態に基づいてこの発明を詳細に説明する。
◎実施の形態１
図２は本発明を適用したカラー画像形成装置（本実施の形態ではカラー電子写真複写機）の概略構成を示す。
同図において、符号１１は感光体ドラム（潜像担持体）であり、矢線Ａ方向への回転に伴いその表面には帯電装置１２及び図示外の露光装置（図中露光ビームを符号１３で示す）などの周知の電子写真プロセスによって画情報に応じた静電潜像が形成される。
また、この感光体ドラム１１の周囲にはブラック（Ｂｋ）、イエロ（Ｙ）、マゼンタ（Ｍ）及びシアン（Ｃ）の各色に対応した現像器１４〜１７が配設されており、感光体ドラム１１に形成された静電潜像を現像器１４〜１７のいずれかで現像してトナー像Ｔを形成するようになっている。尚、符号１９は感光体ドラム１１上の残留トナーを除去するドラムクリーナである。
【手続補正４】
【補正対象書類名】明細書
【補正対象項目名】００３０
【補正方法】変更
【補正の内容】
【００３０】
このとき、転写電界制御系７０が働き、転写電界制御装置７２では、メインＣＰＵが用紙通過センサ７１からの信号に基づいて用紙Ｐの先端位置を認識し、用紙Ｐの搬送速度及び用紙通過センサ７１から二次転写ニップ領域入口までの距離を考慮することで、用紙Ｐの先端部が二次転写ニップ領域に突入するタイミング、更に、用紙Ｐの先端部と画像部との間のマージンを考慮することで、画像部（イメージ）としてのトナー像Ｔが二次転写ニップ領域に突入するタイミングを演算する。
そして、図５（ａ）（ｂ）に示すように、用紙Ｐの先端部が二次転写ニップ領域に突入すると、転写電界制御装置７２は、図６に示すように、このタイミングに同期（用紙同期）して転写バイアス電源７３からの二次転写バイアスをオンする。


【手続補正５】
【補正対象書類名】明細書
【補正対象項目名】００４８
【補正方法】変更
【補正の内容】
【００４８】
◎変形形態
本発明が適用される画像形成装置としては、実施の形態１〜５に示したタイプに限定されるものではなく、例えば図１５〜図１９に示した各種タイプの画像形成装置に適用することが可能である。
例えば図１５（ａ）に示すカラー画像形成装置は、実施の形態１と略同様に構成されるが、実施の形態１と異なり、複数の現像器１４〜１７に代えて、各色成分の現像ユニット３１〜３４が回転可能に搭載されたロータリー現像装置３０を設け、中間転写ベルト２０上に例えば複数（本例では２枚分）の用紙Ｐに対応する領域であるイメージパネルＩＰを確保するようにしたものである。
このタイプにおいて、図示外の転写電界制御系としては、実施の形態１〜５で示したものが採用可能であり、例えば図１５（ｂ）に示すように、各イメージパネルＩＰに同期（用紙同期）して二次転写バイアスを制御するか、あるいは、図１５（ｃ）に示すように、各イメージパネルＩＰ内の画像部（イメージ）Ｔに同期して二次転写バイアスを制御するようにすればよい。


【手続補正６】
【補正対象書類名】明細書
【補正対象項目名】００５３
【補正方法】変更
【補正の内容】
【００５３】
◎実施の形態６
図２０は本発明を適用したカラー画像形成装置（本実施の形態ではカラー電子写真複写機）の実施の形態６の概略構成を示す。
本実施の形態において、カラー画像形成装置の基本的構成は、実施の形態１（図２参照）と略同様に、周囲に電子写真プロセス用の各デバイスが配設される感光体ドラム１１と、この感光体ドラムに圧接配置される中間転写ベルト２０と、この中間転写ベルト２０上に感光体ドラム１１上に形成される各色トナー像Ｔを一時的に転写する一次転写装置（本実施の形態では一次転写ロール）１８と、中間転写ベルト２０上に多重転写されたカラー画像（各色トナー像）Ｔを用紙Ｐ上に一括転写する二次転写装置４０とを備えている。尚、実施の形態１と同様な構成要素については、実施の形態１と同様な符号を付してここではその詳細な説明を省略する。


【手続補正７】
【補正対象書類名】明細書
【補正対象項目名】００６４
【補正方法】変更
【補正の内容】
【００６４】
このとき、図２５（ａ）に示すように、二次転写ニップ領域には所定の転写電界が作用し、用紙Ｐの先端部は正極性に帯電されることになるが、二次転写ロール２５の表面部はアースロール８１を介して接地されているため、用紙Ｐの先端部の帯電電荷９５は、図中矢印Ｄに示すように、二次転写ロール２５の表面部、アースロール８１、揺動アーム８２を通じてアース（接地）側へと逃げていく。このため、用紙Ｐの先端部における転写電界は結果的に低減することになり、当該用紙Ｐの先端部の帯電電荷は極めて少なく抑えられる。


【手続補正８】
【補正対象書類名】明細書
【補正対象項目名】００６７
【補正方法】変更
【補正の内容】
【００６７】
尚、本実施の形態では、アースロール８１の接離制御を常時行う態様を示したが、使用用紙条件、環境条件、画像形成モード条件などに応じて、用紙剥離不良が起こり易い条件で選択的に行なうようにしてもよいことは勿論である。
また、本実施の形態では、バックアップロール２４側に二次転写バイアスを印加し、二次転写ロール２５（金属芯材）側を接地する例を示したが、これに限られるものではなく、二次転写ロール２５側に二次転写バイアスを印加し、バックアップロール２４（金属芯材）側を接地する態様についても、二次転写ロール２５側にアースロール８１を接離自在に配設するようにすればよい。


【手続補正９】
【補正対象書類名】明細書
【補正対象項目名】００６８
【補正方法】変更
【補正の内容】
【００６８】
また、本実施の形態では、二次転写ニップ領域の下流側に用紙剥離装置６０が配設されているため、用紙Ｐの剥離動作がより確実に行なわれる。
すなわち、本実施の形態では、二次転写装置４０の二次転写ロール２５はバックアップロール２４より硬度が柔らかいので、二次転写時において荷重が加わったときに二次転写ロール２５の方が弾性変形し、用紙Ｐの先端部が中間転写ベルト２０から剥離し始める。
このとき、バイアス制御装置６３は、図２６に示すように、用紙Ｐが剥離不良になり易い条件（用紙剥離不良条件）に該当するか否かを判断し、用紙剥離不良条件に該当すると判断したときに、用紙剥離用バイアスＶＳＢを印加することを決定する。


【手続補正１０】
【補正対象書類名】図面
【補正対象項目名】図１５
【補正方法】変更
【補正の内容】
【図１５】
1999190945.tif 000001
【手続補正１１】
【補正対象書類名】図面
【補正対象項目名】図１８
【補正方法】変更
【補正の内容】
【図１８】
1999190945.tif 000002
【手続補正１２】
【補正対象書類名】図面
【補正対象項目名】図２５
【補正方法】変更
【補正の内容】
【図２５】
1999190945.tif 000003